(57)【要約】【課題】液晶パネルの表示面の大画面化、液晶表示装置の小型化を図る上で有利なバックライト装置および液晶表示装置ならびに反射板を提供する。【解決手段】バックライト装置３０は、筐体１２内部で液晶パネル２２の後方に配置されている。バックライト装置３０は、反射板３２と、複数の蛍光管３４と、拡散板３６とを含んで構成されている。反射板３２は、矩形の底板部３８と、４つの側板部４０と、縁板部４２とを含んで構成されている。縁板部４２の矩形枠状に延在する面は拡散板３６の第１の当て付け面４４として形成されている。各側板部４０が空間Ｓに臨む内面の縁板部４２寄りの箇所に、前記内面から空間Ｓ方向に突出するリブ４６が設けられている。リブ４６が底板部３８から離れた端部は、第１の当て付け面４４と同一面上を延在し拡散板３６が当て付けられる第２の当て付け面４８として形成されている。【選択図】図２
2008090140.tif 000002
【特許請求の範囲】
【請求項１】
矩形状の反射板と、複数の蛍光管と、拡散板とを有し、
前記反射板は、矩形状の底板部と、前記底板部の４辺から起立し前記底板部から離れる方向に傾斜する４つの側板部と、前記各側板部の先端から前記側板部の外側に突出する縁板部とを含んで構成され、
前記底板部と前記４つの側板部とにより前記側板部の先端方向に開放状の空間が形成され、
前記複数の蛍光管は前記空間内で前記底板部上に配設され、
前記縁板部の厚さ方向の一方の面で前記底板部から離れた側に位置する面は前記拡散板が当て付けられる第１の当て付け面として形成された液晶表示装置用のバックライト装置であって、
前記４つの側板部のうちの少なくとも１つの側板部が前記空間に臨む内面の前記縁板部寄りの箇所に、前記内面から前記空間方向に突出するリブが設けられ、
前記リブが前記底板部から離れた端部は、前記第１の当て付け面と同一面上を延在し前記拡散板が当て付けられる第２の当て付け面として形成され、
前記拡散板はその４辺が前記第１の当て付け面に当て付けられ、かつ、前記第２の当て付け面に当て付けられて配設されている、
ことを特徴とする液晶表示装置用のバックライト装置。
【請求項２】
前記反射板を平面視した場合、前記リブは前記底板部の外側で前記側板部の輪郭内に位置している、
ことを特徴とする請求項１記載の液晶表示装置用のバックライト装置。
【請求項３】
前記リブは、前記側板部に一体に設けられている、
ことを特徴とする請求項１記載の液晶表示装置用のバックライト装置。
【請求項４】
前記リブは、前記各側板部にそれぞれ設けられている、
ことを特徴とする請求項１記載の液晶表示装置用のバックライト装置。
【請求項５】
前記リブは、前記各側板部に、互いに間隔をおいて複数設けられている、
ことを特徴とする請求項１記載の液晶表示装置用のバックライト装置。
【請求項６】
前記縁板部は、前記４つの側板部の先端のそれぞれ全長にわたって延在して平面視矩形枠状を呈し、
前記リブは、前記縁板部の延在方向に間隔をおいて複数設けられている、
ことを特徴とする請求項１記載の液晶表示装置用のバックライト装置。
【請求項７】
前記リブは、前記内面から前記空間方向に突出する長さと、前記突出する方向に直交する方向の幅を有し、
前記第１の当て付け面の幅はその突出長さよりも小さい寸法で形成されている、
ことを特徴とする請求項１記載の液晶表示装置用のバックライト装置。
【請求項８】
前記リブは、前記側板部上において前記底板部に直交する平面上を延在している、
ことを特徴とする請求項１記載の液晶表示装置用のバックライト装置。
【請求項９】
前記第１の当て付け面は、前記底板部と平行する平面上を延在している
ことを特徴とする請求項１記載の液晶表示装置用のバックライト装置。
【請求項１０】
筐体と、
前記筐体の前面開口にその表示面が臨むように前記筐体の内部に組み込まれた液晶パネルと、
前記筐体の内部で前記液晶パネルの後方に配置されるバックライト装置とを備えた液晶表示装置であって、
前記バックライト装置は、矩形状の反射板と、複数の蛍光管と、拡散板とを有し、
前記反射板は、矩形状の底板部と、前記底板部の４辺から起立し前記底板部から離れる方向に傾斜する４つの側板部と、前記各側板部の先端から前記側板部の外側に突出する縁板部とを含んで構成され、
前記底板部と前記４つの側板部とにより前記液晶パネル方向に開放状の空間が形成され、
前記複数の蛍光管は前記空間内で前記底板部上に配設され、
前記縁板部の厚さ方向の一方の面で前記底板部から離れた側に位置する面は前記拡散板が当て付けられる第１の当て付け面として形成され、
前記４つの側板部のうちの少なくとも１つの側板部が前記空間に臨む内面の前記縁板部寄りの箇所に、前記内面から前記空間方向に突出するリブが設けられ、
前記リブが前記底板部から離れた端部は、前記第１の当て付け面と同一面上を延在し前記拡散板が当て付けられる第２の当て付け面として形成され、
前記拡散板はその４辺が前記第１の当て付け面に当て付けられ、かつ、前記第２の当て付け面に当て付けられて配設されている、
ことを特徴とする液晶表示装置。
【請求項１１】
液晶表示装置用のバックライト装置を構成する反射板であって、
前記反射板は高い反射率を有する材料からなり、矩形状の底板部と、前記底板部の４辺から起立し前記底板部から離れる方向に傾斜する４つの側板部と、前記各側板部の先端から前記側板部の外側に突出する縁板部とを含んで構成され、
前記底板部と前記４つの側板部とにより蛍光管配設用の空間が前記側板部の先端方向に開放状に形成され、
前記縁板部の厚さ方向の一方の面で前記底板部から離れた側に位置する面は第１の当て付け面として形成され、
前記４つの側板部のうちの少なくとも１つの側板部が前記空間に臨む内面の前記縁板部寄りの箇所に、前記内面から前記空間方向に突出するリブが設けられ、
前記リブが前記底板部から離れた端部は、前記第１の当て付け面と同一面上を延在する第２の当て付け面として形成されている、
ことを特徴とするバックライト装置の反射板。
【発明の詳細な説明】
【技術分野】
【０００１】
本発明はバックライト装置および液晶表示装置ならびに反射板に関する。
【背景技術】
【０００２】
テレビジョン装置やパーソナルコンピュータのディスプレイ装置などに用いられる液晶表示装置が提供されている。
このような液晶表示装置は、筐体と、筐体の前面開口にその表示面が臨むように筐体の内部に組み込まれた液晶パネルと、筐体の内部で液晶パネルの後方に配置されるバックライト装置とを備えている。
バックライト装置は、反射板と、複数の蛍光管と、拡散板とを有し、蛍光管から照射された光を反射板で拡散板に照射し、拡散板で拡散された光を液晶パネルに向けて照射するように構成されている（特許文献１、２参照）。
反射板は、矩形の底板と、底板の４辺から離れる傾斜する４つの傾斜板と、傾斜板の先端から傾斜板の外側に突出する縁板部とを含んで構成され、底板と４つの傾斜板とにより液晶パネル方向に開放状の空間が形成され、複数の蛍光管は底板に平行させて空間に配設されている。
そして、縁板部の厚さ方向の一方の面で底板から離れた側に位置する面が拡散板の当て付け面として形成され、矩形板状を呈する拡散板の４辺が反射板の当て付け面に当て付けられて配置されている。
【特許文献１】特開平５−１１３５６５
【特許文献２】特開２００１―７５４９０
【発明の開示】
【発明が解決しようとする課題】
【０００３】
ところで、液晶パネルを表示面から見た場合に、拡散板の当て付け面の部分が影として視認されると、液晶パネルに表示される画像の見栄えが悪くなるため、筐体を構成する矩形枠状の前パネルによって、反射板の当て付け面に対応する４辺部分を覆うようにしている。
一方、液晶表示装置の小型化を図りつつ液晶パネルの表示面の大型化を図るためには、拡散板が当て付けられる反射板の当て付け面の幅を縮小して矩形枠状の前パネルの幅を縮小する必要がある。
しかしながら、反射板上に当て付けられる拡散板のオーバーラップ量は拡散板を安定した状態で載置するためにある程度の寸法を確保する必要があり、反射板の当て付け面の幅を縮小するにも限界があった。
本発明はこのような事情に鑑みなされたものであり、その目的は、液晶パネルの表示面の大画面化、液晶表示装置の小型化を図る上で有利なバックライト装置および液晶表示装置ならびに反射板を提供することにある。
【課題を解決するための手段】
【０００４】
上述の目的を達成するため、本発明は、矩形状の反射板と、複数の蛍光管と、拡散板とを有し、前記反射板は、矩形状の底板部と、前記底板部の４辺から起立し前記底板部から離れる方向に傾斜する４つの側板部と、前記各側板部の先端から前記側板部の外側に突出する縁板部とを含んで構成され、前記底板部と前記４つの側板部とにより前記側板部の先端方向に開放状の空間が形成され、前記複数の蛍光管は前記空間内で前記底板部上に配設され、前記縁板部の厚さ方向の一方の面で前記底板部から離れた側に位置する面は前記拡散板が当て付けられる第１の当て付け面として形成された液晶表示装置用のバックライト装置であって、前記４つの側板部のうちの少なくとも１つの側板部が前記空間に臨む内面の前記縁板部寄りの箇所に、前記内面から前記空間方向に突出するリブが設けられ、前記リブが前記底板部から離れた端部は、前記第１の当て付け面と同一面上を延在し前記拡散板が当て付けられる第２の当て付け面として形成され、前記拡散板はその４辺が前記第１の当て付け面に当て付けられ、かつ、前記第２の当て付け面に当て付けられて配設されていることを特徴とする。
また本発明は、筐体と、前記筐体の前面開口にその表示面が臨むように前記筐体の内部に組み込まれた液晶パネルと、前記筐体の内部で前記液晶パネルの後方に配置されるバックライト装置とを備えた液晶表示装置であって、前記バックライト装置は、矩形状の反射板と、複数の蛍光管と、拡散板とを有し、前記反射板は、矩形状の底板部と、前記底板部の４辺から起立し前記底板部から離れる方向に傾斜する４つの側板部と、前記各側板部の先端から前記側板部の外側に突出する縁板部とを含んで構成され、前記底板部と前記４つの側板部とにより前記液晶パネル方向に開放状の空間が形成され、前記複数の蛍光管は前記空間内で前記底板部上に配設され、前記縁板部の厚さ方向の一方の面で前記底板部から離れた側に位置する面は前記拡散板が当て付けられる第１の当て付け面として形成され、前記４つの側板部のうちの少なくとも１つの側板部が前記空間に臨む内面の前記縁板部寄りの箇所に、前記内面から前記空間方向に突出するリブが設けられ、前記リブが前記底板部から離れた端部は、前記第１の当て付け面と同一面上を延在し前記拡散板が当て付けられる第２の当て付け面として形成され、前記拡散板はその４辺が前記第１の当て付け面に当て付けられ、かつ、前記第２の当て付け面に当て付けられて配設されていることを特徴とする。
また、本発明は、液晶表示装置用のバックライト装置を構成する反射板であって、前記反射板は高い反射率を有する材料からなり、矩形状の底板部と、前記底板部の４辺から起立し前記底板部から離れる方向に傾斜する４つの側板部と、前記各側板部の先端から前記側板部の外側に突出する縁板部とを含んで構成され、前記底板部と前記４つの側板部とにより蛍光管配設用の空間が前記側板部の先端方向に開放状に形成され、前記縁板部の厚さ方向の一方の面で前記底板部から離れた側に位置する面は第１の当て付け面として形成され、前記４つの側板部のうちの少なくとも１つの側板部が前記空間に臨む内面の前記縁板部寄りの箇所に、前記内面から前記空間方向に突出するリブが設けられ、前記リブが前記底板部から離れた端部は、前記第１の当て付け面と同一面上を延在する第２の当て付け面として形成されていることを特徴とする。
【発明の効果】
【０００５】
本発明によれば、反射板の第１の当て付け面の幅を拡大することなく、反射板上に当て付けられる拡散板のオーバーラップ量を大きく確保することができる。
したがって、液晶表示装置の小型化を図れ、液晶パネルの表示面の面積を拡大することができる。
【発明を実施するための最良の形態】
【０００６】
（第１の実施の形態）
次に、本発明の実施の形態について図面を参照して説明する。
まず、本実施の形態の液晶表示装置２０、バックライト装置３０、反射板３２を用いたテレビジョン装置１０について説明する。
図１はテレビジョン装置１０の斜視図である。
図１に示すように、テレビジョン装置１０は、外装を構成する筐体１２と、筐体１２の下部に設けられ当て付け面に当て付けられるスタンド１２Ａとを備えている。
筐体１２は、前部パネル１４と後部パネル１６とを備えて矩形板状を呈し、図中符号１８は左右のスピーカーを示す。
前部パネル１４の前面の内側には矩形状の開口１４０２が形成され、筐体１２内部に液晶表示装置２０が組み込まれている。
【０００７】
液晶表示装置２０は、液晶パネル２２と、バックライト装置３０と、フレーム３１などを含んで構成されている。
図２（Ａ）は第１の実施の形態の液晶表示装置２０の断面図、（Ｂ）は同平面図である。
図２（Ａ）、（Ｂ）に示すように、液晶パネル２２は、フレーム３１を介してその表示面を開口１４０２から前方に臨ませて配置されている。
液晶パネル２２は、２枚の透明なガラス基材と、それらガラス基材の間に挟まれた液晶層と、それらガラス基材の内面に設けられた透明電極と、カラーフィルターと、偏光板などを含んで構成されている。
より詳細には、液晶パネル２２は、ガラスなどで構成された２枚の透明な基板を互いに対向配置させ、その間隙に、液晶を封入した液晶層を設けて構成されている。
一方の基板には、マトリクス状に配置された信号線、走査線、信号線と走査線の交点に配置されたスイッチング素子（薄膜トランジスタ）、画素電極などが形成されている。スイッチング素子は走査線により順次選択されると共に、信号線から供給される映像信号を、対応する画素電極に書き込む。
他方の基板には、対向電極、カラーフィルターが形成されている。
カラーフィルターは各画素に対応した複数のセグメントに分割されており、例えば、３原色である、赤色フィルタ、緑色フィルタ、青色フィルタの３つのセグメントに分割されている。
さらに、これら２枚の基板は２枚の偏光板で挟まれている。
なお、このような液晶パネル２２自体の構造には従来公知のさまざまな構成が採用可能である。
そして、バックライト装置３０からの照明光が液晶パネル２２を後方から（背面から）照射した状態で、画像表示用の駆動信号が前記走査線、信号線、対向電極に供給され液晶層の液晶が駆動されることで画像が表示される。
なお、液晶パネル２２は、例えば、液晶パネル２２をフレーム３１の前枠とフレーム３１に設けた爪片により挟み込んで配設するなど、液晶パネル２２の配設構造には従来公知のさまざまな構成が採用可能である。
【０００８】
バックライト装置３０は、筐体１２内部に設けられ液晶パネル２２の後方に配置されている。
なお、バックライト装置３０は、例えば、バックライト装置３０をフレーム３１の後枠とフレーム３１に設けた爪片により挟み込んで配設するなど、バックライト装置３０の配設構造には従来公知のさまざまな構成が採用可能である。
【０００９】
バックライト装置３０は、反射板３２と、複数の蛍光管３４と、拡散板３６とを含んで構成されている。
反射板３２は、蛍光管３４から照射された光を拡散板３６に反射して導くものであり、本実施の形態では、高い反射率を有する白色の合成樹脂材料を成形することで形成されている。このような合成樹脂材料として、例えば、ポリカーボネート樹脂（PC:polycarbonate）などの従来公知のさまざまな材料が採用可能である。
反射板３２は、矩形の底板部３８と、底板部３８の４辺から起立し底板部３８から離れる方向に傾斜する４つの側板部４０と、側板部４０の先端から側板部４０の外側に突出する縁板部４２とを含んで構成されている。
底板部３８と４つの側板部４０とにより側板部４０の先端方向に開放状の空間Ｓが形成されている。
縁板部４２は、４つの側板部４０の先端のそれぞれ全長にわたって延在し、平面視矩形枠状を呈している。
縁板部４２の厚さ方向の一方の面で底板部３８から離れた側に位置する面は拡散板３６が当て付けられる第１の当て付け面４４として形成されている。
本実施の形態では、第１の当て付け面４４は底板部３８と平行する平面上を延在している。
縁板部４２は、４つの側板部４０の先端のそれぞれ全長にわたって延在し、平面視矩形枠状を呈し、したがって第１の当て付け面４４も矩形枠状を呈している。
【００１０】
各側板部４０が空間Ｓに臨む内面の縁板部４２寄りの箇所に、前記内面から空間Ｓ方向に突出するリブ４６が設けられている。
リブ４６は縁板部４２の延在方向に間隔をおいて複数設けられている。
リブ４６は、側板部４０上において底板部３８に直交する平面上を延在している。
リブ４６が底板部３８から離れた端部は、第１の当て付け面４４と同一面上を延在し拡散板３６が当て付けられる第２の当て付け面４８として形成されている。
リブ４６は、側板部４０の内面から空間Ｓ方向に突出する長さと、前記突出する方向に直交する方向の幅を有し、第２の当て付け面４８の幅はその突出長さよりも小さい寸法で形成されている。
反射板３２を平面視した場合、リブ４６は底板部３８の外側で側板部４０の輪郭内に位置している。
リブ４６は、側板部４０に一体に設けられている。
本実施の形態では、リブ４６の配設間隔は２０〜３０ｍｍ程度、第２の当て付け面４８が第１の当て付け面４４から突出する長さは３〜４ｍｍ程度、第２の当て付け面４８の幅（リブ４６の厚み）は１〜２ｍｍ程度である。なお、これらの寸法は拡散板３６の大きさなどに対応して適宜変更可能である。
【００１１】
複数の蛍光管３４は、空間Ｓ内で底板部３８上に配設されている。
蛍光管３４は、電流が供給されることにより白色光を発光する冷陰極管（蛍光ランプ）で構成されている。
より詳細には、蛍光管３４は、両側に電極が形成され、内壁に所定の蛍光材料が塗布され、管内にＨｇ（水銀）、Ｘｅ（キセノン）などの希ガスが封入されている。蛍光管３４はそれら電極に電流が流されると、フィラメントから熱電子が管内に放出され、放電が始まり、熱電子が管内のＨｇ原子と衝突して励起され、紫外線を放射する。Ｈｇ原子は、紫外線を放射することにより基底状態となる。そして、この紫外線が管壁に塗布されている蛍光材料により吸収されて白色光を外部に出射する。
本実施の形態では、蛍光管３４の長手方向の両端がホルダ５０を介して底板部３８上に取着されて配設されている。なお、このような蛍光管３４の配設構造には従来公知のさまざまな構成が採用可能である。
【００１２】
拡散板３６は、蛍光管３４から照射された光、および、反射板３２で拡散板３６に反射された光の双方を拡散させて液晶パネル２２を後方から照射させるものであり、拡散板３６は半透明な材料で形成されている。
このような拡散板３６を構成する半透明な材料として、例えば、ポリスチレン樹脂あるいはＭＳ樹脂（スチレン−メチルメタクリレート樹脂）などが採用可能である。
本実施の形態では、拡散板３６が液晶パネル２２に臨む面に、拡散板３６からの光を液晶パネル２２に導くための不図示の光学シートが設けられているが、拡散板３６の構造には従来公知のさまざまな構成が採用可能である。
拡散板３６は、矩形板状を呈しその４辺が第１の当て付け面４４および第２の当て付け面４８に当て付けられて配設されている。
拡散板３６は、例えば、フレーム３１や反射板３２にはめ込んだホルダや爪片などによりその４辺を第１の当て付け面４４および第２の当て付け面４８に押し付けて配設するなど、拡散板３６の反射板３２への配設構造には従来公知のさまざまな構成が採用可能である。
【００１３】
本実施の形態によれば、従来のように拡散板３６の４辺が反射板３２の第１の当て付け面４４のみに当て付けられる場合に比べ、拡散板３６の４辺が反射板３２の第１の当て付け面４４および第２の当て付け面４８の双方に当て付けられるため、反射板３２上における拡散板３６の当て付け面積を大きく確保でき、拡散板３６をがたつくことなく安定した状態で反射板３２に配設する上で有利となる。
また、第２の当て付け面４８はその面積が小さいため、液晶パネル２２の表示面側から見た場合、第２の当て付け面４８の部分が影として視認されることがなく、液晶パネル２２の表示面に表示される画像に影響を与えることがない。
特に、本実施の形態では、第２の当て付け面４８の幅はその突出長さよりも小さい寸法で形成されているので、液晶パネル２２の表示面に表示される画像への影響を防止する上で有利となっている。
また、リブ４６は、側板部４０上において底板部３８に直交する平面上を延在しているので、液晶パネル２２の表示面に表示される画像への影響を防止する上で有利となっている。
さらに、反射板３２を平面視した場合、リブ４６は底板部３８の外側で側板部４０の輪郭内に位置しているので、液晶パネル２２の表示面に表示される画像への影響を防止する上で有利となっている。
そのため、図２（Ａ）に示すように、従来構造に比べて、第１の当て付け面４４の幅Ｌ１を拡大することなく、反射板３２上に当て付けられる拡散板３６のオーバーラップ量Ｌ０を大きく確保することができるので、液晶パネル２２の表示面の面積を拡大することができる。
したがって、液晶パネル２２の大画面化を図れ、また、矩形枠状の前部パネル１４の幅の縮小化により液晶表示装置２０の小型化を図る上で有利となる。
【００１４】
（第２の実施の形態）
次に第２の実施の形態について説明する。
図３（Ａ）は第２の実施の形態の液晶表示装置２０の断面図、（Ｂ）は同平面図である。
第２の実施の形態が第１の実施の形態と異なるのは、反射板３２に、液晶パネル２２を当て付ける当て付け面を設けた点であり、その他の構成は第１の実施の形態と同様であるため、第１の実施の形態と同様な箇所には図面に同一の符号を付してその説明を省略する。
テレビジョン装置１０に用いられる液晶表示装置２０は、液晶パネル２２とバックライト装置３０とを含んで構成され、バックライト３０を構成する反射板３２は、図３（Ａ）、（Ｂ）に示すように、第１の実施の形態の底板部３８、側板部４０、縁板部４２に加え、各縁板部４２の外縁から起立する第１の起立壁５２と、第１の起立壁５２の先端から第１の起立壁５２の外側に突出する外側縁板部５４と、外側縁板部５４の外縁から起立する第２の起立壁５６とが設けられたものであり、それら第１の起立壁５２、外側縁板部５４、第２の起立壁５６は反射板３２に一体形成されている。
外側縁板部５４の厚さ方向の一方の面で底板部３８から離れた側に位置する矩形枠状に延在する面は液晶パネル２２が当て付けられる第３の当て付け面５８として形成され、液晶パネル２２はその４辺が第３の当て付け面５８に当て付けられて筐体１２の内部に配設されている。
第２の実施の形態では、拡散板３６は、例えば、反射板３２にはめ込んだホルダや爪片などによりその４辺を第１の当て付け面４４および第２の当て付け面４８に押し付けて配設されている。なお、このような拡散板３６の配設構造には従来公知のさまざまな構成が採用可能である。
また、液晶パネル２２は、例えば、反射板３２にはめ込んだホルダや爪片などにより外側縁板部５４に押し付けて配設されている。なお、このような液晶パネル２２の配設構造には従来公知のさまざまな構成が採用可能である。
第２の実施の形態では、反射板３２に液晶パネル２２が組み込まれることで液晶表示装置２０が一体化されるため、構成の簡素化、部品点数の削減を図る上で有利となり、このような第２の実施の形態においても、反射板３２の側板部４０の内面にリブ４６が設けられ、リブ４６に第２の当て付け面４８が設けられているので、液晶パネル２２の大画面化、液晶表示装置２０の小型化が図れるという、第１の実施の形態と同様の作用効果が奏される。
【００１５】
なお、本実施の形態では、４つの側板部４０の全てに第２の当て付け面４８を有するリブ４６を設けた場合について説明したが、少なくとも１つの側板部４０に第２の当て付け面４８を有するリブ４６を設けるようにしてもよい。
また、本実施の形態では、側板部４０に第２の当て付け面４８を有する複数のリブ４６を設けた場合について説明したが、拡散板３６が小さい場合などには、１つの側板部４０に対して第２の当て付け面４８を有する１つのリブ４６を設けるようにしてもよい。
また、本実施の形態では、液晶表示装置２０がテレビジョン装置に適用された場合について説明したが、本発明は、デスクトップ型のパーソナルコンピュータのモニタ装置、ノート型パーソナルコンピュータ、液晶表示装置を有するビデオカメラやデジタルスチルカメラなどの撮像装置、ＰＤＡ、携帯電話機に用いることができることは無論のこと、液晶表示装置を有する種々の電子機器に広く用いることができる。
【図面の簡単な説明】
【００１６】
【図１】実施の形態の液晶表示装置２０、バックライト装置３０、反射板３２を備えるテレビジョン装置１０の斜視図である。
【図２】（Ａ）は第１の実施の形態の液晶表示装置２０の断面図、（Ｂ）は同平面図である。
【図３】（Ａ）は第２の実施の形態の液晶表示装置２０の断面図、（Ｂ）は同平面図である。
【符号の説明】
【００１７】
１２……筐体、２０……液晶表示装置、２２……液晶パネル、３０……バックライト装置、３２……反射板、３４……蛍光管、３６……拡散板、３８……底板、４０……傾斜板、４２……縁板部、４４……第１の当て付け面、４６……リブ、４８……第２の当て付け面、Ｓ……空間。
【図１】
2008090140.tif 000003
【図２】
2008090140.tif 000004
【図３】
2008090140.tif 000005